(57)【要約】【課題】左右勝手の切替えが可能となり、施解錠状態の判別が可能となる防犯サムターンを得、汎用性を確保しつつ、操作性を向上させる。【解決手段】扉１の屋内面に取り付けられるサムターンベース２３と、サムターンベース２３に着脱自在に設けられサムターン１７の回動操作力を錠箱Ａへ伝達するサムターンコア３１と、サムターンベース２３に着脱自在に設けられサムターンコア３１に連動する標示ギヤ３７と、サムターンコア３１に設けられたコア回転位置目印と、サムターンベース２３に設けられコア回転位置目印の回転位置を指示するコア用左右勝手目印と、標示ギヤ３７に設けられたギヤ回転位置目印と、サムターンベース２３に設けられギヤ回転位置目印の回転位置を指示するギヤ用左右勝手目印と、サムターンベース２３に設けられた窓部７５と、標示ギヤに設けられ所定の回転角度毎に窓部に異なる標示を行う視認用目印とを備えた。【選択図】      図３
2004360212.tif 000002
【特許請求の範囲】
【請求項１】
屋外側からのシリンダー錠の施解錠操作によって錠箱内の施錠ボルトが進退する扉に取り付けられ、前記施錠ボルトの進退操作を可能にするサムターンの摘みが空転可能又は着脱自在となった防犯サムターンであって、
前記扉の屋内面に取り付けられ前記サムターンを保持するサムターンベースと、
該サムターンベースに着脱自在に設けられ前記サムターンの回動操作力を前記錠箱へ伝達するとともに、円周方向に歯部が形成されたサムターンコアと、
前記サムターンベースに着脱自在に設けられ該サムターンコアに連動する標示ギヤと、
前記サムターンコアに設けられたコア回転位置目印と、
前記サムターンベースに設けられ該コア回転位置目印の選択的な回転位置を指示するコア用左右勝手目印と、
前記標示ギヤに設けられたギヤ回転位置目印と、
前記サムターンベースに設けられ該ギヤ回転位置目印の選択的な回転位置を指示するギヤ用左右勝手目印と、
前記サムターンベースに設けられた窓部と、
前記標示ギヤに設けられ所定の回転角度毎に前記窓部に異なる標示を行う視認用目印と、
を備えたことを特徴とする防犯サムターン。
【請求項２】
請求項１記載の防犯サムターンであって、
前記サムターンが屋内側に設けられたシリンダー錠であり、
前記摘みが該屋内側シリンダー錠の合鍵であることを特徴とする防犯サムターン。
【請求項３】
請求項２記載の防犯サムターンであって、
前記屋内側シリンダー錠の合鍵と、屋外側のシリンダー錠の合鍵とが同一であることを特徴とする防犯サムターン。
【発明の詳細な説明】
【０００１】
【発明の属する技術分野】
本発明は、施錠ボルトの進退操作を可能にするサムターンの摘みが空転可能又は着脱自在となった防犯サムターンに関し、更に詳しくは、施解錠状態の判別を可能にし、左右勝手の切替えを可能とする改良技術に関する。
【０００２】
【従来の技術】
近年、マンションや住宅の玄関扉などの開閉体、或いはこれら玄関扉などの開閉体の近傍における開口枠体（扉枠）の周囲である壁部分に、高級感や優美性を高める目的で、ガラス板を嵌め込んだ小窓付のものが多用されるようになってきている。ところが、このような開閉体の小窓や壁部分の小窓では、ガラス板が割られると、外部から、先端を鉤状に曲げた針金や棒等を挿入したり、手を差し入れることで、サムターンが不正に操作されてしまう虞れがある。
【０００３】
そこで、通常時、サムターンの摘みを空転状態にしたり、扉の室内側にシリンダー錠を設け、このシリンダー錠の合鍵をサムターンの摘みとして代用する防犯サムターンが提案されている。
【０００４】
すなわち、下記特許文献１に開示される防犯型サムターンは、扉面の室内側に、シリンダー錠を内蔵したサムターン筒を装着し、このサムターン筒の室内側端面部に扉面と平行に移動可能に案内された合鍵ストッパーにより、シリンダー錠の合鍵を安定した状態で取付けておくことができるようにするとともに、この合鍵ストッパーを操作することにより合鍵がシリンダ錠から抜去可能となっている。これにより、扉にはめ込まれたガラス板が外部の侵入者により破壊されて手先が室内側に挿入されても、サムターンが操作できないようにしている。
【０００５】
また、下記特許文献２に開示されるドア錠は、ドアの内プレートに装着して内側から施錠開錠操作を行う内シリンダを備えている。内シリンダには、内側から施錠開錠するためのサムターンを着脱自在に設けている。サムターンは、略円筒状のつまみの内側に合鍵を一体に設けた形態のものであり、使用時は合鍵を内シリンダに挿入して施錠・開錠を行うものである。そして、施錠開錠操作が不要な時には、当該サムターンを内シリンダから外して保管しておくことができるものである。このようにサムターンを取り外しておくことにより、内シリンダには合鍵が常時付いていない状態にすることができ、ドア枠との隙間を介するドア外側からの不正解錠を防止することができる。
【０００６】
【特許文献１】
特開平１１−２００６７８号公報
【特許文献２】
実用新案登録第３０９２８０５号公報
【０００７】
【発明が解決しようとする課題】
しかしながら、上記した従来の防犯型サムターンやドア錠は、サムターンを取外した場合、摘みの回転位置が認識できなくなり、施解錠状態が確認できなくなる問題があった。これにより、施錠から解錠、或いは解錠から施錠への操作の予測が困難となり、誤操作を生じさせ、操作性を低下させた。
【０００８】
また、扉には左右勝手があり、錠箱が、扉の右側に設けられる場合と、左側に設けられる場合とに分かれる。そして、左勝手と右勝手とでは、サムターンの回転操作方向も逆となる。このような状況下、防犯サムターンは、左右勝手に切替え可能な共用品であることが好ましい。ところが、上記した摘み取り外し構造の防犯サムターンでは、仮に摘み回転位置を認識容易にするための標示手段を設けた場合、左右勝手が変わると、標示も変えなくてはならず、特にこの種の防犯サムターンにおける操作性確保が困難となっていた。
【０００９】
本発明は上記状況に鑑みてなされたもので、左右勝手の切替えが可能となり、しかも、施解錠状態の判別が可能となる防犯サムターンを提供し、汎用性を確保しつつ、操作性の向上を図ることを目的とする。
【００１０】
【課題を解決するための手段】
次に、上記の課題を解決するための手段を、実施の形態に対応する図面を参照して説明する。
この発明の請求項１記載の防犯サムターンＣは、屋外側からのシリンダー錠５の施解錠操作によって錠箱Ａ内の施錠ボルトが進退する扉１に取り付けられ、前記施錠ボルトの進退操作を可能にするサムターン１７の摘みが空転可能又は着脱自在となった防犯サムターンＣであって、
前記扉１の屋内面に取り付けられ前記サムターン１７を保持するサムターンベース２３と、
該サムターンベース２３に着脱自在に設けられ前記サムターン１７の回動操作力を前記錠箱Ａへ伝達するとともに、円周方向、例えば所定長部分に歯部３３が形成されたサムターンコア３１と、
前記サムターンベース２３に着脱自在に設けられ該サムターンコア３１に連動する標示ギヤ３７と、
前記サムターンコア３１に設けられたコア回転位置目印５１と、
前記サムターンベース２３に設けられ該コア回転位置目印５１の選択的な回転位置を指示するコア用左右勝手目印６９，７１と、
前記標示ギヤ３７に設けられたギヤ回転位置目印５７，５９と、
前記サムターンベース２３に設けられ該ギヤ回転位置目印５７，５９の選択的な回転位置を指示するギヤ用左右勝手目印７３と、
前記サムターンベース２３に設けられた窓部７５と、
前記標示ギヤ３７に設けられ所定の回転角度毎に前記窓部７５に異なる標示を行う視認用目印８１と、
を備えたことを特徴とする。
【００１１】
この防犯サムターンＣでは、窓部７５に常に標示ギヤ３７の回転位置、すなわち、錠箱の施解錠状態が標示され、摘みの回転位置によっては認識できなくなった施錠ボルトの施解錠状態を容易に確認することができるようになる。これにより、摘みの回転位置によっては施解錠状態が認識できなくなった防犯サムターンＣにおいて、施錠から解錠、或いは解錠から施錠への認識が容易となり、誤操作をなくして、操作性を向上させることができる。また、サムターンコア３１にコア回転位置目印５１、標示ギヤ３７にギヤ回転位置目印５７，５９、サムターンベース２３にコア用左右勝手目印６９，７１及びギヤ用左右勝手目印７３が設けられることで、左右勝手が判別可能となる。そして、サムターンコア３１及び標示ギヤ３７がサムターンベース２３から着脱自在に設けられるので、サムターンコア３１のコア回転位置目印５１を所定のコア用左右勝手目印６９，７１に合わせて装着することで、左右勝手が設定可能となり、更に、標示ギヤ３７のギヤ回転位置目印５７，５９をギヤ用左右勝手目印７３に合わせて装着することで、その左右勝手に対応する施解錠状態標示への容易な切替えが可能となる。
【００１２】
請求項２記載の防犯サムターンＣは、請求項１記載の防犯サムターンＣであって、
前記サムターンが屋内側に設けられたシリンダー錠１７であり、
前記摘みが該屋内側シリンダー錠１７の合鍵であることを特徴とする。
【００１３】
この防犯サムターンＣでは、屋内における施解錠の操作においても、合鍵を使用することとなり、これにより屋内面にはサムターンの摘みが突出せず、扉１や扉周辺の小窓などから針金を挿入されたり、手を差し入れるなどして行われる不正な行為による解錠操作が無効となり、防犯性が向上する。
【００１４】
請求項３記載の防犯サムターンＣは、請求項２記載の防犯サムターンＣであって、
前記屋内側シリンダー錠１７の合鍵と、屋外側のシリンダー錠５の合鍵とが同一であることを特徴とする。
【００１５】
この防犯サムターンＣでは、屋外、屋内での施解錠操作が、１つの合鍵で行えるようになり、操作性が向上する。
【００１６】
【発明の実施の形態】
以下、本発明に係る防犯サムターンの好適な実施の形態を図面を参照して詳細に説明する。
図１は本発明に係る防犯サムターンの正面図、図２は図１の背面図、図３は外部シリンダーユニット及び防犯サムターンの縦断面図、図４は防犯サムターンの分解斜視図、図５は右勝手仕様の説明図、図６は左勝手仕様の説明図である。
【００１７】
図３に示すように、扉１には、錠箱Ａと、錠箱Ａに対して屋外側からの施解錠操作を可能にする屋外シリンダーユニットＢとが取り付けられる。扉１の屋外側の面には防犯サムターンＣが取り付けられる。
【００１８】
錠箱Ａは、例えば扉１の端部に内蔵され、錠箱Ａに固定された図示しないフロント板が扉１の木口（前端面）に露出して取り付けられる。この錠箱Ａ内には、図示しない施錠ボルトが内蔵される。この施錠ボルトは、後述の第一シリンダー錠、サムターンの操作によって、錠箱Ａに対しスライドし、扉１のフロント板から進退されるようになっている。つまり、扉枠に対しての施解錠を可能とする。なお、ここでは、その具体的な機構の説明は省略する。
この施錠ボルトとしては、扉枠側に取り付けられたガードアームに係止してドアチェーンと同様の働きをするガードボルト、主施錠手段となるデッドボルト、円弧状の可動軌跡を描いて突出されるカマデット、扉１の上端面或いは下端面から進退して扉枠に係合するロック手段等が含まれる。
【００１９】
屋外シリンダーユニットＢには、屋外側のシリンダー錠である第一シリンダー錠５と、屋外側のシリンダー錠である第二シリンダー錠７とが上下に位置して設けられる。第一，第二シリンダー錠５，７は、合鍵の挿入口が屋外側に露出する一方、合鍵操作により回転される回転軸１１，１３が、屋外シリンダーユニットＢの内部に突出されている。この第一，第二シリンダー錠５，７は、同一の合鍵或いは異なる合鍵によって回転操作される。
【００２０】
屋外シリンダーユニットＢの背面には錠箱Ａとの間にスライドプレート１５が設けられ、スライドプレート１５は図３の上下方向にスライドされるようになっている。なお、本明細書中では、スライドプレート１５の上方のスライド位置を「回転阻止位置」、スライドプレート１５の下方のスライド位置を「回転阻止位置から退避させた位置」と称す。
【００２１】
スライドプレート１５は、回転阻止位置で、第一シリンダー錠５の回転を阻止し、回転阻止位置から退避させた位置で第一シリンダー錠５を回転自在とする。スライドプレート１５は、上側である回転阻止位置に付勢されている。
【００２２】
図１に示すように、防犯サムターンＣにはサムターンとなる屋内側シリンダー錠１７が設けられる。屋内側シリンダー錠１７の鍵穴には、摘みである図示しない合鍵が挿入される。屋内側シリンダー錠１７は、回転することにより、後述のサムターンコアを介して錠箱Ａ内の機構部を作動させ、施錠ボルトを扉１のフロント板から進退させ、施解錠を可能としている。また、スライドプレート１５は、屋内側シリンダー錠１７の回転により、「回転阻止位置」から「回転阻止位置から退避させた位置」に移動されるようになっている。
【００２３】
また、防犯サムターンＣには、棒軸状の切替えボタン１９が設けられる。切替えボタン１９は、一端が屋内側に露出され、他端が錠箱Ａ内で切替えダルマ２１と係合されている。切替えボタン１９の一端は例えばマイナスドライバ等の工具やコイン等の薄板状部材により回転が可能となる。切替えボタン１９は、防犯サムターンＣの屋内側の面に露出されるが、出荷時等には、不用意な操作が行われないようにするための目隠しテープやシール等によって覆われる。
【００２４】
防犯サムターンＣは、サムターンの摘みとして働く合鍵が着脱自在となる。従って、屋内における施解錠の操作においても、合鍵を使用することとなり、これにより屋内面にはサムターンの摘みが突出せず、扉１や扉周辺の小窓などから針金や棒等を挿入されたり、手を差し入れるなどして行われる不正な行為による解錠操作が無効となり、防犯性が向上する。屋内側シリンダー錠１７の合鍵と、屋外側のシリンダー錠（第一シリンダー錠５，第二シリンダー錠７）の合鍵とは、同一とすることができる。これにより、屋外、屋内での施解錠操作が、１つの合鍵で行えるようになり、操作性が向上する。なお、屋内側シリンダー錠１７の合鍵は、屋外側シリンダー錠（５，１７）とは別構成の専用のものであってもよい。
【００２５】
また、本実施の形態では、サムターンが屋内側シリンダー錠１７である場合を例に説明するが、本発明に係る防犯サムターンは、この屋内側シリンダー錠１７に代えて、摘み空転機構を有するサムターンが用いられて、構成されるものであってもよい。また、この他、取り外し可能であれば、合鍵に限定されるものではない。この場合、摘みの形状は、任意の形状とすることができる。
【００２６】
防犯サムターンＣは、扉１の屋内面に取り付けられて、屋内側シリンダー錠１７を保持するサムターンベース２３を有している。サムターンベース２３は、ネジ２５，２７によって屋外シリンダーユニットＢと螺着などにより連結固定される。サムターンベース２３には錠箱Ａと対向する面にサムターンコア３１が着脱自在に設けられ、サムターンコア３１は屋内側シリンダー錠１７の回動操作力を錠箱Ａへ伝達するとともに、円周方向の所定長に歯部３３が形成される。歯部３３は、円周の長さの約１／４である中心角約９０度に対応する円周長に形成され、所謂セグメントギヤを構成している。
【００２７】
サムターンベース２３には駆動ギヤ３５が着脱自在に設けられ、駆動ギヤ３５はサムターンコア３１の歯部３３に噛合している。また、サムターンベース２３には標示ギヤ３７が着脱自在に設けられ、標示ギヤ３７は駆動ギヤ３５に噛合している。つまり、標示ギヤ３７は、駆動ギヤ３５を介してサムターンコア３１に連動するようになっている。
【００２８】
サムターンコア３１は、サムターンベース２３のコア収容穴３９に収容される。駆動ギヤ３５は、サムターンベース２３の軸部４１に外挿支持される。標示ギヤ３７は、サムターンベース２３のギヤ収容穴４３に収容される。このようにしてサムターンベース２３に収容されたサムターンコア３１，駆動ギヤ３５，標示ギヤ３７は、サムターンベース２３に裏蓋４５がビス４７，４９によって固定されることで保持される。
【００２９】
ところで、サムターンコア３１の端面にはコア回転位置目印５１（図４中↑（矢印）で標示）が設けられている。また、標示ギヤ３７は、一部に歯部５３の非形成部５５が設けられ、この非形成部５５にはギヤ回転位置目印である左勝手ギヤ目印５７（図４中「Ｌ」で標示），ギヤ回転位置目印である右勝手ギヤ目印５９（図４中「Ｒ」で標示）が設けられている。
【００３０】
裏蓋４５にはサムターンコア３１の端部を表出させる表出穴６１と、標示ギヤ３７の支持穴６３と、ビス４７，４９のビス穴６５，６７が穿設されている。裏蓋４５には、コア回転位置目印５１の選択的な回転位置を指示するコア用左右勝手目印である右目印６９（図４中「Ｒ」で標示）と、コア用左右勝手目印である左目印７１（図４中「Ｌ」で標示）とが設けられている。裏蓋４５には、標示ギヤ３７に設けられた左勝手ギヤ目印５７，右勝手ギヤ目印５９の選択的な回転位置を指示するギヤ用左右勝手目印である切欠７３が形成されている。
【００３１】
サムターンベース２３の表面側には標示ギヤ３７の端面３７ａ（図４参照）に対面する一部分に窓部７５が穿設されている。本実施の形態では、この窓部７５は略三角形状に形成されている。標示ギヤ３７の端面３７ａには視認用目印８１が設けられている。視認用目印８１は、標示ギヤ３７の所定の回転角度毎に、窓部７５に異なる標示を行うようにした領域により構成されている。本実施の形態では、この領域毎に色分けで区別するよう構成され、視認用目印８１が、赤色の領域８１ａを挟んで黄色の領域８１ｂ、緑色の領域８１ｃが対象に設けられている。本実施の形態では、赤色の領域８１ａを約９０°の範囲とし、その両側に約４５°づつの黄色の領域８１ｂ、さらにその外側に約４５°づつの緑色の領域８１ｃとして着色、或いは彩色されたシートを貼着などにより設けられる。
【００３２】
防犯サムターンＣは、コア回転位置目印５１を、裏蓋４５の右目印６９又は左目印７１に合わせてサムターンコア３１を装着することで、左右勝手が任意に設定可能となっている。また、裏蓋４５の切欠７３に、左勝手ギヤ目印５７、右勝手ギヤ目印５９を合わせて標示ギヤ３７を装着することで、左右勝手に対応した標示が切替えできるようになっている。
【００３３】
なお、本実施の形態において、扉１が屋内側に開くことを「内開き」、扉１が屋外側に開くことを「外開き」と言い、扉１を支える蝶番の軸が扉１の開く側から見て左側に見えることを「左勝手」、扉１を支える蝶番の軸が扉１の開く側から見て右側に見えることを「右勝手」と言う。本実施の形態では、防犯サムターンＣが右勝手に設定された場合を例に説明する。
右勝手の設定の場合、図５（ａ）に示すように、コア回転位置目印５１の矢印（↑）が上向きにセットされ、標示ギヤ３７の右勝手ギヤ目印５９（Ｒ）が切欠７３にセットされる。また、右勝手の場合、サムターンベース２３の表面には図１に示す「とじる」の印８５が左側に、「ひらく」の印８７が右側に設けられ、その途中位置に「ガード」の印８９が設けられている。
【００３４】
なお、左勝手の設定の場合には、図６に示すように、コア回転位置目印５１の矢印（→）が右横向きにセットされ、標示ギヤ３７の左勝手ギヤ目印５７（Ｌ）が切欠７３にセットされる。
【００３５】
防犯サムターンＣは、工場出荷時、扉現場取付け施工時又はサムターンコア３１等の位置ズレ調整時に、サムターンコア３１及び標示ギヤ３７が正規にセットされる。このセットは、サムターンベース２３の裏蓋４５を取外し、これらサムターンコア３１，標示ギヤ３７を所定の角度で差し替えることで行う。なお、その際、駆動ギヤ３５はほぼそのままであってよい。すなわち、右勝手の場合には図５（ａ）に示したようにセットし、左勝手の場合には図６（ａ）に示したようにセットする。なお、このセット時においては、図５（ｂ）及び図６（ｂ）に示すように、窓部７５から覗く端面３７ａはいずれも赤色の領域８１ａとなる。
【００３６】
次に、このように構成される防犯サムターンＣの作用を説明する。
図７はガード時の説明図、図８は施錠時の説明図である。
なお、以下に説明する各シリンダー錠では、合鍵を水平な状態とした場合にのみ、シリンダー錠に対して挿脱が可能となる構成とされ、施錠操作及び解錠操作の際、回転操作となるが、その回転範囲は約９０°に設定される。すなわち施錠或いは解錠操作時には、合鍵を挿入し９０°回転させて施錠或いは解錠の操作を行いその後９０°回転を戻すことで合鍵が抜脱できるようになっている。
【００３７】
施工期間中や、出荷時など通常の使用時以前においては、切替えダルマ２１が図中反時計回り方向に９０°回転されて配置されたコンストラクション状態とされる。この状態では、第二シリンダー錠７の操作が不能状態とされる。従って、第一シリンダー錠５又は屋内側シリンダー錠１７のみによる施解錠（シングルロック）が可能となる。
【００３８】
一方、建物完成後など引渡後、まず、屋内側において、封印されている切替えボタン１９のシール等を剥離し、切替えボタン１９の操作を可能とする。切替えボタン１９が９０°回転されると、切替えダルマ２１が同様に時計回り方向へ９０°回転される。すると、スライドプレート１５が回転阻止位置へ移動され、第一シリンダー錠５の回転が阻止される。
【００３９】
このダブルロック状態では、屋外側からの施錠が、第一シリンダー錠５のみを、合鍵にて操作することで行われる。第一シリンダー錠５が合鍵操作されると、錠箱Ａの施錠ボルトが突出されて施錠されると同時に、合鍵の回転操作によりスライドプレート１５が上昇移動して回転阻止位置に移動され、第一シリンダー錠５の回転を規制するダブルロック状態となる。
【００４０】
屋内側からの施錠には、屋内側シリンダー錠１７のみの操作となる。図５に示した解錠状態から屋内側シリンダー錠１７が操作されると、錠箱Ａの施錠ボルトが突出されて施錠されると同時に、スライドプレート１５が回転阻止位置に移動され、第一シリンダー錠５の回転を規制するダブルロック状態となる。この際、図５（ｂ）に示す屋内側シリンダー錠１７が反時計回りに回転されることで、図８に示す状態となって、窓部７５には、標示ギヤ３７の端面３７ａに設けられた緑色の領域８１ｃが標示され、合鍵が抜かれた状態であっても、施錠状態が視認できるようになる。
【００４１】
屋外側からの解錠には、第一のシリンダー錠５は操作不能な状態とされており、第二のシリンダー錠７を、まず操作することとなる。第二シリンダー錠７が合鍵操作されると、スライドプレート１５が回転阻止位置から退避させた位置に保持される。これにより、第一シリンダー錠５の回転規制が解除される。次いで、第一シリンダー錠５が合鍵操作され、施錠ボルトが後退されて解錠が完了する。
【００４２】
屋内側からの解錠には、屋内側シリンダー錠１７のみが回転操作されると、スライドプレート１５が回転阻止位置から退避させた位置へ移動されると同時に、第一シリンダー錠５を回転させて、一度に、ダブルロック状態が解錠される。
これにより、再び図５に示す状態となって、窓部７５には赤色の領域８１ａが標示され、合鍵が抜かれた状態であっても、解錠状態であることが視認できるようになる。
【００４３】
また、本実施の形態では、屋内側シリンダー錠１７が施錠方向に４５°回転されると、ガードロック状態となる。この場合には、スライドプレート１５は移動されず、ダブルロック状態は維持される。その際、サムターンコア３１及び標示ギヤ３７は図７（ａ）に示す状態となり、窓部７５には図７（ｂ）に示すように黄色の領域８１ｂが標示され、ガードロック状態が視認できるようになる。
【００４４】
従って、上記防犯サムターンによれば、窓部７５に常に標示ギヤ３７の回転位置、すなわち、錠箱Ａの施解錠状態が標示され、摘みの回転位置によっては認識できなくなった施錠ボルトの施解錠状態を容易に確認することができるようになる。これにより、摘みの回転位置によっては施解錠状態が認識できなくなった防犯サムターンＣにおいて、施錠から解錠、或いは解錠から施錠への認識が容易となり、誤操作をなくして、操作性を向上させることができる。特に、合鍵の挿脱が定位置、例えば水平位置である構成のシリンダー錠の場合に、操作性を向上させることができる。
【００４５】
また、サムターンコア３１にコア回転位置目印５１、標示ギヤ３７にギヤ回転位置目印（左勝手ギヤ目印５７，右勝手ギヤ目印５９）、サムターンベース２３の裏蓋４５にコア用左右勝手目印（右目印６９，左目印７１）及びギヤ用左右勝手目印（切欠７３）が設けられることで、左右勝手が判別可能となる。そして、サムターンコア３１及び標示ギヤ３７がサムターンベース２３から着脱自在に設けられるので、サムターンコア３１のコア回転位置目印５１を所定のコア用左右勝手目印に合わせて装着することで、左右勝手が設定可能となり、さらに、標示ギヤ３７のギヤ回転位置目印をギヤ用左右勝手目印に合わせて装着することで、その左右勝手に対応する施解錠状態標示への容易な切替えが可能となる。
【００４６】
このような構成とすることで、左右勝手の確認が容易となり、左右勝手仕様の設定ミスを防止することができる。さらに、現場での状況に応じて、左右勝手が変更可能となるので、例えばサムターン輸送中にサムターンコア３１等がズレた場合であっても、容易に調整して正規の設定に戻すこともできる。
【００４７】
なお、上述した実施の形態では、サムターンコア３１と、標示ギヤ３７とを駆動ギヤ３５で連結した例について述べたが、この駆動ギヤ３５は複数で構成してもよく、また介設しない構成としてもよい。この駆動ギヤ３５によりサムターンコア３１と標示ギヤ３７との間隔距離を設定可能であり、配置構造として間隔を短くする際にはサムターンコア３１と標示ギヤ３７とを連結することとしてもよい。
【００４８】
また、上述した実施の形態では、屋外側の屋外シリンダーユニットＢの構成をシリンダー錠が２組とされるダブルロックの行える構成とした例について述べたが、屋外側のシリンダー錠と屋内側である防犯サムターンとが１組づつで対となる構成であっても良い。
【００４９】
さらに、上記の実施の形態では、ガードロック状態にセット可能な構成を例に説明したが、本発明に係る防犯サムターンは、ガードロック状態へのセットを無くし、施錠と解錠のみの動作を行う構造に適用しても上記同様の効果を奏することは言うまでもない。
【００５０】
【発明の効果】
以上説明したように、本発明に係る請求項１記載の防犯サムターンによれば、サムターンコアに連動する標示ギヤと、サムターンベースに設けられた窓部と、標示ギヤに設けられ所定の回転角度毎に窓部に異なる標示を行う視認用目印とを備えたので、窓部に常に錠箱の施解錠状態が標示され、摘みの回転位置によっては認識できなくなった施錠ボルトの施解錠状態を容易に確認することができるようになる。これにより、摘みの回転位置によっては施解錠状態が認識できなくなった防犯サムターンにおいて、施錠から解錠、或いは解錠から施錠への認識が容易となり、誤操作をなくして、操作性を向上させることができる。また、サムターンコア及び標示ギヤがサムターンベースから着脱自在に設けられ、且つサムターンコアにコア回転位置目印、標示ギヤにギヤ回転位置目印、サムターンベースにコア用左右勝手目印及びギヤ用左右勝手目印が設けられているので、左右勝手が判別でき、しかも、サムターンコアのコア回転位置目印を所定のコア用左右勝手目印に合わせて装着することで、防犯サムターンを左右勝手に設定でき、標示ギヤのギヤ回転位置目印をギヤ用左右勝手目印に合わせて装着することで、その左右勝手における施解錠状態標示へ容易に切替えることができる。
【００５１】
本発明に係る請求項２記載の防犯サムターンによれば、サムターンが屋内側に設けられたシリンダー錠であり、摘みが屋内側シリンダー錠の合鍵であるので、屋内における施解錠の操作においても、合鍵を使用することとなり、これにより屋内面にはサムターンの摘みが突出せず、扉や扉周辺の小窓などから針金を挿入されたり、手を差し入れるなどして行われる不正な行為による解錠操作を無効とすることができ、防犯性を向上させることが可能となる。
【００５２】
本発明に係る請求項３記載の防犯サムターンによれば、屋内側シリンダー錠の合鍵と、屋外側のシリンダー錠の合鍵とが同一であるので、屋外、屋内での施解錠操作を、１つの合鍵で行うことができ、操作性を向上させることができる。
【図面の簡単な説明】
【図１】本発明に係る防犯サムターンの正面図である。
【図２】図１の背面図である。
【図３】外部シリンダーユニット及び防犯サムターンの縦断面図である。
【図４】防犯サムターンの分解斜視図である。
【図５】右勝手仕様の説明図である。
【図６】左勝手仕様の説明図である。
【図７】ガード時の説明図である。
【図８】施錠時の説明図である。
【符号の説明】
１…扉
５，７…屋外側のシリンダー錠
１７…サムターン（屋内側シリンダー錠）
２３…サムターンベース
３１…サムターンコア
３３…円周方向所定長の歯部
３７…標示ギヤ
５１…コア回転位置目印
５７…ギヤ回転位置目印（左勝手ギヤ目印）
５９…ギヤ回転位置目印（右勝手ギヤ目印）
６９…コア用左右勝手目印（右目印）
７１…コア用左右勝手目印（左目印）
７３…ギヤ用左右勝手目印（切欠）
７５…窓部
８１…視認用目印
Ａ…錠箱
Ｃ…防犯サムターン
【図１】
2004360212.tif 000003
【図２】
2004360212.tif 000004
【図３】
2004360212.tif 000005
【図４】
2004360212.tif 000006
【図５】
2004360212.tif 000007
【図６】
2004360212.tif 000008
【図７】
2004360212.tif 000009
【図８】
2004360212.tif 000010